(57)【要約】    【課題】レンズ収納時（沈胴時）に奥行き方向の厚みを極めて薄くすることができ、かつ、全変倍域にて結像性能を極めて安定的に高くすることのできるズームレンズを提供する。    【解決手段】物体側から順に、負の屈折力を有し負レンズ成分Ｌ１１と正レンズ成分Ｌ１２の２枚のレンズ成分からなるレンズ群Ｇ１と、正の屈折力を有し複数のレンズ要素Ｌ２１,Ｌ２２が接合された１つのレンズ成分よりなるレンズ群Ｇ２を含み、各レンズ群の相対的間隔は変倍あるいは合焦時に変化するズームレンズ。レンズ群Ｇ１の負レンズ成分Ｌ１１は、像側の面が光軸から離れるほど発散作用が強くなる非球面にて構成されている。【選択図】図１
2007078801.tif 000002
【特許請求の範囲】
【請求項１】
物体側から順に、負の屈折力を有し負レンズ成分と正レンズ成分の２枚のレンズ成分からなるレンズ群Ａと、正の屈折力を有し複数のレンズ要素が接合された１つのレンズ成分よりなるレンズ群Ｂを含み、各レンズ群の相対的間隔は変倍あるいは合焦時に変化するズームレンズにおいて、前記レンズ群Ａの負レンズ成分は、像側の面が光軸から離れるほど発散作用が強くなる非球面にて構成されていることを特徴とするズームレンズ。但し、レンズ成分とは、そのレンズ成分の最物体側のレンズ面と最像側のレンズ面のみが空気と接触し、且つその間には空気間隔がないものであり、単レンズ又は接合レンズを１単位とする。
【請求項２】
物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、前記レンズ群Ａを構成するすべての光学的屈折面のうち非球面である面数が５０％以下であることを特徴とするズームレンズ。但し、レンズ成分とは、そのレンズ成分の最物体側のレンズ面と最像側のレンズ面のみが空気と接触し、且つその間には空気間隔がないものであり、単レンズ又は接合レンズを１単位とする。
【請求項３】
物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、前記レンズ群Ａの正レンズ成分は屈折率１．８７以上の媒質からなる正レンズを含むズームレンズ。但し、レンズ成分とは、そのレンズ成分の最物体側のレンズ面と最像側のレンズ面のみが空気と接触し、且つその間には空気間隔がないものであり、単レンズ又は接合レンズを１単位とする。
【発明の詳細な説明】
【技術分野】
【０００１】
本発明は、収納時に奥行きが極めて薄くなるズームレンズ及びそれを備えた電子撮像装置に関するものである。
【背景技術】
【０００２】
近年、銀塩35mmフィルム（通称ライカ版）カメラに代わる次世代カメラとしてデジタルカメラ（電子カメラ）が注目されてきている。さらに、それは業務用高機能タイプからポータブルな普及タイプまで幅広い範囲でいくつものカテゴリーを有するようになってきている。本発明においては、特にポータブルな普及タイプのカテゴリーに注目し、高画質を確保しながら奥行きの薄いビデオカメラ、デジタルカメラを実現する技術を提供することをねらっている。
【発明の開示】
【発明が解決しようとする課題】
【０００３】
カメラの奥行き方向を薄くするのに最大のネックとなっているのは、光学系特にズームレンズ系の最も物体側の面から撮像面までの厚みである。最近では、撮影時に光学系をカメラボディ内からせり出し携帯時に光学系をカメラボディ内に収納するいわゆる沈胴式鏡筒を採用することが主流になっている。しかしながら、使用するレンズタイプやフィルターによって光学系沈胴時の厚みが大きく異なる。特にズーム比やF値など仕様を高く設定するには、最も物体側のレンズ群が正の屈折力を有するいわゆる正先行型ズームレンズは、各々のレンズエレメントの厚みやデッドスペースが大きく、沈胴にしてもたいして厚みが薄くならない（特許文献１参照）。
【０００４】
負先行型で特に２乃至３群構成のズームレンズはその点有利であるが、群内構成枚数が多かったり、エレメントの厚みが大きかったり、最も物体側のレンズが正レンズの場合も沈胴にしても薄くならない（特許文献２又は３参照）。現在知られている中で電子撮像素子用に適しかつズーム比、画角、Ｆ値などを含めた結像性能が良好で沈胴厚を最も薄くできる可能性を有するものの例として、特許文献４等に記載のものがある。第1群の入射瞳位置を浅くするとその径が小さくなり、結果として第1群自身を薄くすることが出来るが、そのためには第２群の倍率を高くつまり屈折力を増大させなくてはならず、結像性能を犠牲にするか構成枚数を増やして奥行きを薄くすることを犠牲にするしかない。
【特許文献１】特開平11-258507号公報
【特許文献２】特開平11‐52246号公報
【特許文献３】特開平11-142734号公報
【特許文献４】特開平9-33810号公報
【０００５】
本発明は、レンズ収納時（沈胴時）に奥行き方向の厚みを極めて薄くすることができ、かつ、全変倍域にて結像性能を極めて安定的に高くすることのできるズームレンズを提供することを目的としている。
【課題を解決するための手段】
【０００６】
上記目的を達成するために、本発明によるズームレンズは、物体側から順に、負の屈折力を有し負レンズ成分と正レンズ成分の２枚のレンズ成分からなるレンズ群Ａと、正の屈折力を有し複数のレンズ要素が接合された１つのレンズ成分よりなるレンズ群Ｂを含み、各レンズ群の相対的間隔は変倍あるいは合焦時に変化するズームレンズにおいて、前記レンズ群Ａの負レンズ成分は、像側の面が光軸から離れるほど発散作用が強くなる非球面にて構成されていることを特徴とする。但し、レンズ成分とは、そのレンズ成分の最物体側のレンズ面と最像側のレンズ面のみが空気と接触し、且つその間には空気間隔がないものであり、単レンズ又は接合レンズを１単位とする。
【０００７】
また、本発明によるズームレンズは、物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、前記レンズ群Ａを構成するすべての光学的屈折面のうち非球面である面数が50％以下であることを特徴とする。但し、レンズ成分とは、そのレンズ成分の最物体側のレンズ面と最像側のレンズ面のみが空気と接触し、且つその間には空気間隔がないものであり、単レンズ又は接合レンズを１単位とする。
【０００８】
また、本発明によるズームレンズは、物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、前記レンズ群Ａの正レンズ成分は屈折率１．８７以上の媒質からなる正レンズを含むズームレンズ。但し、レンズ成分とは、そのレンズ成分の最物体側のレンズ面と最像側のレンズ面のみが空気と接触し、且つその間には空気間隔がないものであり、単レンズ又は接合レンズを１単位とする。
【発明の効果】
【０００９】
本発明によれば、レンズ収納時（沈胴時）に奥行き方向の厚みを極めて薄くするために総レンズ枚数を少なくしても、全変倍域にて結像性能が極めて安定的に高い高性能のズームレンズ及び電子撮像装置を提供することができる。
【発明を実施するための最良の形態】
【００１０】
以下、添付図面を参照して、本発明の実施の形態を説明するが、それに先立ち本発明の作用効果について説明する。
本発明のズームレンズは、物体側から順に、負の屈折力を有し負レンズ成分と正レンズ成分の２枚のレンズ成分からなるレンズ群Ａと、前記レンズ群Ａの像側に隣接する正の屈折力を有し複数のレンズ要素が接合された１つのレンズ成分よりなるレンズ群Ｂを含み、各レンズ群の相対的間隔は変倍あるいは合焦操作により変化するズームレンズを基本構成としている。本発明において、前記レンズ群Ａの少なくとも１つの負レンズ成分は像側の面が光軸から離れるほど発散作用が強くなる。即ち、曲率半径が緩く（大きく）なる非球面にて構成されていることが好ましい。
【００１１】
即ち、レンズ群Ｂを１つのレンズ成分で構成するとともに、前記レンズ群Ａの少なくとも負レンズ成分の像側の面を光軸から離れるほど曲率半径が緩くなる非球面にて構成することと併せれば、結像性能を高く確保しながら沈胴時の奥行きを極めて薄くし易い。ここで、レンズ群Ａの負レンズ成分の像側の面を光軸から離れるほど曲率半径が緩くなる非球面を導入する理由を更に記せば、レンズ群Ａの中央部の少し物体側に収差補正能力の高い面を持たせることで、軸上・軸外収差や非点隔差・コマ収差・歪曲収差をバランスよく補正することができる。これは非球面の面数を少なくし、又は他の非球面の製作容易性を高めることを可能にし、コストや生産性の点で有利となる。更に、レンズ群Ａの負レンズ成分の像面側を凹面とし、この面を光軸から離れるほど曲率半径が緩くなる非球面を用いることにより、この面の近軸的なパワーを強くでき、主点を物体側に配置させズーム構成を容易にさせる（群の移動量を小さくできる）ので好ましい。
【００１２】
または、前記レンズ群Ａを構成するすべての光学的屈折面のうち非球面である面数が50％以下であることが好ましい。目的を達成するためには、前記レンズ群Ａには非球面を導入するのが望ましいが、その面数をある程度以上多くしてもコストが上がり生産性が低下して総合的に効果がない。レンズ群Ａを構成するすべての光学的屈折面数に対し50%以下の面数にだけ非球面を施せばよい。特に前述のように負レンズの像側の面を非球面にするのが好ましく、更には、レンズ群Ａの他の面は球面で構成することにより、結像性能を高め、コスト・生産性でも不利ではない構成とすることができる。
【００１３】
または、前記レンズ群Ａの正レンズ成分は、屈折率１．８７以上の媒質からなる正レンズを含むことが好ましい。光学系の全長を短くして沈胴厚を薄くするほどペッツバール和（１／Σｆ・ｎ）が正側に大きくなりやすいため、それを補正するために前記レンズ群Ａ中の正レンズ成分に屈折率が少なくとも１．８７以上の媒質の正レンズを少なくとも１枚用いたほうがよい。
【００１４】
または、以下の条件を満足することが好ましい。
０．８  ＜  ΣT／ｆw  ＜  ２．５                            （１）
但し、ΣTは全てのレンズ群の、最も物体側の面から最も像側の面までの、光軸上の距離を総和、ｆwは広角端における全系の焦点距離である。
この構成によれば、像面湾曲や非点収差を比較的容易に良好に補正でき、且つ、沈胴時に薄くできる。上限を上回れば、レンズ構成成分数を節約して結像性能を良くしても薄型化には結びつかない。下限を下回れば、レンズ構成枚数を増やしても各群の入射面射出面での光束の通過光線高の差による補正力が弱まり像面湾曲あるいは非点収差が発生しやすい。
【００１５】
また、以下の条件を満たすとさらに良い。
１．０  ＜  ΣT／ｆw  ＜  ２．２                            （１−１）
【００１６】
さらに、以下の条件を満たすと最も良い。
１．４  ＜  ΣT／ｆw  ＜  １．９                            （１−２）
【００１７】
または、以下の条件を満足することが好ましい。
０．４  ＜  ｆR  ／  ｜ｆA｜  ＜  １．２                    （２）
但し、ｆAはそれぞれ前記レンズ群Ａの焦点距離、ｆRはレンズ群Ａより像側に配置されている全てのレンズ群の広角端における合成焦点距離である。全長を短くするには、レンズ群Ａより像側に配置されている全てのレンズ群の広角端における合成焦点距離を短くするのが効果的であるが、下限値を下回ると像面が近軸結像位置から物体側に湾曲しやすくなる。上限値を上回ると全長が長くなりやすい。
【００１８】
また、以下の条件を満たすとさらに良い。
０．６  ＜  ｆR  ／  ｜ｆA｜  ＜  １．０                    （２−１）
【００１９】
さらに、以下の条件満たすと最も良い。
０．７  ＜  ｆR  ／  ｜ｆA｜  ＜  ０．９                    （２−２）
【００２０】
または、以下の条件を満足することが好ましい。
１．２０  ＜  ｜βRT｜  ＜  ２．３０                        （３）
但し、βRTは望遠端無限遠物点合焦時の、前記レンズ群Ａより像側に配置されている全てのレンズ群による合成倍率である。全長を短くしたまま高い変倍比を確保するには、前記レンズ群Ａより像側に配置されている全てのレンズ群による合成倍率（負値）を大きくするほうが良い。下限値を下回ると広角端での全長が長くなり、上限値を上回ると球面収差、軸上色収差などを中心に各収差が悪化しやすい。
【００２１】
また、以下の条件を満たすとさらに良い。
１．３０  ＜  ｜β2T｜  ＜  １．９０                        （３−１）
【００２２】
さらに、以下の条件を満たすと最も良い。
１．２０  ＜  ｜β2T｜  ＜  １．８５                        （３−２）
１．４０  ＜  ｜β2T｜  ＜  １．７５                        （３−３）
【００２３】
または、ズーム時のレンズ群の移動に関して以下の条件を満足することが好ましい。
０．１７  ＜  （D12W−D12T）  ／  （ｆw・γ2）  ＜ ０．４５      （４）
但し、D12W、D12Tはそれぞれ広角端、望遠端におけるレンズ群Ａとその像側に隣接するレンズ群との光軸上での空気間隔、γは無限遠物点合焦時の望遠端における全系焦点距離の対広角端比（いわゆるズーム比）、ｆwは広角端における全系の焦点距離である。上限を上回ると収差補正は有利であるが、広角端にてレンズ群Ａにおける軸外光線高が高くなりレンズ群Ａの径が肥大化しやすく、そのために各レンズ成分の肉厚が厚くなり目的に反する。下限を下回ると薄型化には有利であるが、レンズ群Ａとそれより像側に配置されているレンズ群の合成系ともに屈折力を大きくせざるを得ず、少ない構成枚数であることも相まって各収差の補正が困難となったり、偏心敏感度が増大するなどの問題がある。
【００２４】
以下の条件を満足すると良い。
０．１９  ＜  （D12W−D12T）／（ｆw・γ2）  ＜ ０．３０      （４−１）
【００２５】
さらに、以下の条件を満たすと最も良い。
０．２１  ＜  （D12W−D12T）／（ｆw・γ2）  ＜ ０．２７      （４−２）
【００２６】
または、以下の条件を満足することが好ましい。
０．０６  ＜  ｄ11／ｆw  ＜  ０．５３                        （５）
但し、ｆwは広角端における全系の焦点距離、ｄ11は前記負レンズ群Ａの負レンズ成分と正レンズ成分との光軸上における空気間隔である。上限値を上回ると沈胴厚が厚くなりやすく、下限値を下回ると群の入射面射出面での光束の通過光線高の差による補正力が弱まり非点収差が悪化しやすい。
【００２７】
また、以下の条件を満足するとより良い。
０．１０  ＜  ｄ11／ｆw  ＜  ０．４０                        （５−１）
【００２８】
さらに、以下の条件を満たすと最良である。
０．２０  ＜  ｄ11／ｆw  ＜  ０．３５                        （５−２）
【００２９】
また、本発明において、レンズ群Ａは正レンズを有し、さらにその物体側に負レンズを有し、前記正レンズと負レンズのそれぞれを構成する媒質の屈折率、アッベ数をｎ1p、ν1p、ｎ1n、ν1nとしたとき、
０．０８  ＜  ｎ1p  −  ｎ1n  ＜  ０．３５                    （６）
５  ＜  ν1n  −  ν1p  ＜  ２５                              （７）
を満足するのが良い。負レンズについても像面湾曲以外の収差を考慮すると、屈折率を出来るだけ高くしておいたほうが良いが、正レンズよりは高くしないほうが良い。条件（６）の下限値を下回ると望遠端における球面収差及び広角端におけるコマ収差が、上限値を上回ると像面湾曲が悪化しやすい。条件（７）は負レンズと正レンズのアッベ数の差を規定しているが、上限下限いずれかを超えると広角端の倍率色収差、望遠端の軸上色収差や球面収差の色収差が悪化しやすい。
【００３０】
また、以下の条件を満足するとより良い。
０．１２  ＜  ｎ1p  −  ｎ1n  ＜  ０．３３                    （６−１）
１０  ＜  ν1n  −  ν1p  ＜  ２４                            （７−１）
【００３１】
さらに、以下の条件を満たすと最良である。
０．１８  ＜  ｎ1p  −  ｎ1n    ＜  ０．２７                  （６−２）
１４  ＜  ν1n  −  ν1p    ＜  ２２                          （７−２）
【００３２】
または、以下の条件を満足することが好ましい。
０．６６  ＜  （R23＋R21）／（R23−R21）  ＜  １．５          （８）
但し、R21、R23はそれぞれレンズ群Ｂの最も物体側の面と最も像側の面の光軸上における曲率半径である。前記レンズ群Ｂの各レンズ要素は相対的偏心感度が高い傾向にある。従って、複数のレンズ要素を互いに接合にすると、高い偏心調整精度を得やすい。一般に２枚以上のレンズ要素を接合にすると、収差補正の自由度が減って全ての収差を満足なレベルにすることが困難になりがちである。そこで、接合レンズの形状ファクターを条件（８）のようにすると良い。上限値を上回ると球面収差の補正が、下限値を下回るとコマ収差、非点収差の補正が困難になりやすい。
【００３３】
また、以下の条件を満たすとさらに良い。
０．６９  ＜  （R23＋R21）／（R23−R21）  ＜  １．２            （８−１）
【００３４】
さらに、以下の条件を満たすと最も良い。
０．７２  ＜  （R23＋R21）／（R23−R21）  ＜  １．０            （８−２）
【００３５】
または、以下の条件を満足することが好ましい。
ν2p  ＞  ６５                                                  （９）
但し、ν2pはレンズ群Ｂに含まれる正レンズを構成する媒質のアッベ数（ｄ線基準）である。下限を下回ると色収差を中心に各収差が悪化しやすい。
【００３６】
また、以下の条件を満たすとさらに良い。
ν2p  ＞  ７０                                                  （９−１）
【００３７】
さらに、以下の条件を満たすと最も良い。
ν2p  ＞  ８０                                                  （９−２）
【００３８】
または、前記レンズ群Ｂは正レンズと負レンズの接合レンズからなり、以下の条件を満足することが好ましい。
−１．５  ＜  ｆw／R22  ＜  −０．５０                        （１０）
但し、R22はレンズ群Ｂの接合面の光軸上における曲率半径である。上限値を上回ると軸上色収差が補正不足になりやすく、下限値を下回ると球面収差の色収差が発生しやすくなる。
【００３９】
また、以下の条件を満たすとさらに良い。
−１．０  ＜  ｆw／R22  ＜  −０．７５                      （１０−１）
【００４０】
さらに、以下の条件を満たすと最も良い。
−０．９４  ＜  ｆw／R22  ＜  −０．８２                    （１０−２）
【００４１】
また、本発明の電子撮像装置は、上記ズームレンズと、該ズームレンズの像側に配置された電子撮像素子とを備えている。
また、本発明による他の電子撮像装置は、物体側から順に、負の屈折力を有し負レンズ成分と正レンズ成分の２枚のレンズ成分からなるレンズ群Ａと、正の屈折力を有し複数のレンズ要素が接合された１つのレンズ成分よりなるレンズ群Ｂを含み、各レンズ群の相対的間隔は変倍あるいは合焦操作により変化するズームレンズと、前記ズームレンズの像側に配置された電子撮像素子とを有し、前記ズームレンズを通じて結像された像を前記電子撮像素子にて撮像して得られた画像データを加工して形状を変化させた画像データとして出力可能な画像処理部とを備えた電子撮像装置である。これにより、特に樽型の歪曲収差を積極的に出してそれを画像処理により補正することで、光学系部分を小型化あるいは薄型化できる。樽型歪曲収差を有する場合、理想結像状態よりもより広い画角の情報も取り込んでいることになる。従って、樽型歪曲収差を積極的に出したうえで画像処理により歪曲を補正するようにすれば、その分狭い画角での設計が可能となり、レンズの薄型化が一層容易となる。
【００４２】
本発明において、前記ズームレンズがｆwの50倍以上のいずれかの物体距離に合焦した時に以下の条件を満足することが好ましい。
０．７５  ＜  ｙ*08 ／（ｆw・ tan ω08w ）  ＜  ０．９６          （１１）
但し、歪曲収差補正後の画像の中心から最も遠い点に対応する、前記電子撮像素子における中心から最も遠い点までの距離をy*10 とすると、ｙ*08＝0.8ｙ*10 、ω08wは広角端における、前記撮像面上の中心からｙ*08 離れた位置に結ぶ像点に対応する光線と物点方向の光軸とのなす角度である。ズームレンズ広角端近傍の焦点距離において意図的に大きな樽型の歪曲収差を有した状態で前記電子撮像素子に結像させるようにすると、径が最も大きくなりやすい前記レンズ群Ａの有効径が小型化でき、その結果、薄型化が可能となる。
【００４３】
さらに、レンズ群Ａを負レンズ成分と正レンズ成分の２つのレンズ成分のみで構成した場合、歪曲収差補正のためにこの２つのレンズ成分間の距離をある一定値以上とらなくてはならない。ところが、歪曲収差量を許容することでこの距離があまり必要でなくなり、ここでも薄型化に寄与する。また、非点収差の補正にも有利となる。そして、樽型に歪んだ像は前記撮像素子にて光電変換して画像データとし、前記電子撮像装置の信号処理系にて電気的に形状変化に相当する加工を施すことで、最終的に前記電子撮像装置より出力された画像データを何らかの表示装置にて再生した場合、前記歪曲が補正されて被写体形状にほぼ相似した画像が得られるものである。
【００４４】
無限遠物体を結像して得られた像に歪曲がない場合は、
ｆ ＝ ｙ*／tan ω ＝ｙ／tan ω
が成立する。但し、ｙ*は像点の光軸からの高さ、ｙは理想像点（光学系に歪曲収差がないときの像点）の光軸からの高さ、ｆは結像系の焦点距離、ωは前記撮像面上の中心からｙ*離れた位置に結ぶ像点に対応する物点方向の光軸となす角度である。結像系に樽型の歪曲収差がある場合は、
ｆ ＞ ｙ*／tan ω
となる。つまり、ｆとｙを一定とするならばωは大きな値となる。
【００４５】
つまり、条件（１１）はズーム広角端における樽型歪曲の度合いを規定したものである。上限を上回ると前記小型化薄型化が困難となる。下限を下回ると光学系の歪曲収差による画像歪みを画像処理により補正した場合、画角周辺部の放射方向への引き伸ばし率が高くなりすぎて画像周辺部の鮮鋭度の劣化が目立つ様になる。このように、光学系で意図的に歪曲収差を出して電子撮像素子で撮像後に電気的に画像処理して歪みを補正する方法を導入したのは、光学系の小型化あるいは広角化（歪曲込みの垂直方向の画角が38°以上）が最大のねらいである。
【００４６】
また、以下の条件を満たすとさらに良い。
０．８０  ＜  ｙ*08 ／（ｆw・ tan ω08w ）  ＜  ０．９５      （１１−１）
【００４７】
さらに、以下の条件を満たすと最も良い。
０．８５  ＜  ｙ*08 ／（ｆw・ tan ω08w ）  ＜  ０．９４      （１１−２）
【００４８】
前記ズームレンズが、ｆwの50倍以上のいずれかの物体距離に合焦した時に、以下の条件を満足することが好ましい。
０．５０  ＜  （dy* / dy）y*08 ／（dy* / dy）y*00  ＜  ０．９０    （１２）
但し、（dy* / dy）y*08はｙ*08における微分量dy* / dyを、（ｄｙ* ／ｄｙ）ｙ*00は近軸における微分量ｄｙ* ／ｄｙをそれぞれ表す。実際の像高ｙ*は理想像高ｙの関数になるが、その微分値dy*／dyがある程度以上に大きくなる様な局所的なｙにおいては、歪曲補正時の局所的拡大率が大きくなりすぎて、その部位にて所定の解像力を得ることが困難になる。下限を下回ると歪曲補正時の局所的拡大率が大きくなりすぎて、その部位にて所定の解像力を得ることが困難になる。上限を上回ると本発明の目的を達成しにくくなる。
【００４９】
また、以下の条件を満たすとさらに良い。
０．６０  ＜  （dy* / dy）y*08 ／（dy* / dy）y*00  ＜  ０．８７  （１２−１）
【００５０】
さらに、以下の条件を満たすと最も良い。
０．７０  ＜  （dy* / dy）y*08 ／（dy* / dy）y*00  ＜  ０．８４  （１２−２）
【００５１】
さらに、以下の条件を満たすと良い。
２．５５  ＜  （Dｗ＋Dｔ）／（２・ΣDｔ）  ＜ ４．０          （１３）
但し、Dｗ、Dｔはそれぞれ広角端、望遠端におけるレンズ群Ａの最も物体側のレンズ面頂から像面までの距離、ΣDｔは望遠端におけるレンズ群Ａの最も物体側のレンズ面頂から第２レンズ群の最も像側のレンズ面頂までの距離である。上限を上回ると広角端もしくは望遠端における全長が長くなり、前記沈胴式鏡筒が複雑肥大化しやすい。下限を下回るとレンズの厚さが増大し、やはり前記沈胴式鏡筒が複雑肥大化しやすい。
【００５２】
また、以下の条件を満たすとさらに良い。
２．６０  ＜  （Dｗ＋Dｔ）／（２・ΣDｔ）  ＜ ４．０        （１３−１）
【００５３】
さらに、以下の条件を満たすと最も良い。
２．７０  ＜  （Dｗ＋Dｔ）／（２・ΣDｔ）  ＜ ３．２        （１３−２）
【００５４】
あるいは、以下の条件を満足しても沈胴厚を薄くするのによい。
０．８  ＜  ΣDｔ／ｆw  ＜  ３．３                          （１４）
但し、ΣDｔは望遠端におけるレンズ群Ａの最も物体側のレンズ面頂からレンズ群Ｂの最も像側のレンズ面頂までの距離である。上限値を上回ると沈胴時厚みの薄さがまだ不十分である。下限値を下回ると所定の屈折力を有するレンズ成分を形成することが困難となる。
【００５５】
また、以下の条件を満たすとさらに良い。
１．２  ＜  ΣDT／ｆw  ＜  ２．８                            （１４−１）
【００５６】
さらに、以下の条件を満たすと最も良い。
１．５  ＜  ΣDT／ｆw  ＜  ２．２                            （１４−２）
【００５７】
また、上記各ズームレンズの結像能力は、以下の条件を満たすことが好ましい。
１．０  ＜  ｙ*10 ／ a  ＜  ３．０                            （１５）
但し、ｙ*10は歪曲収差補正後の画像の中心から最も遠い点に対応する、前記電子撮像素子における中心から最も遠い点までの距離で単位はmm、aは前記電子撮像素子の長辺方向の画素間距離で単位はμmである。
【００５８】
また、以下の条件を満たすとさらに良い。
１．１  ＜  ｙ*10 ／ a  ＜  ２．５                          （１５−１）
【００５９】
さらに、以下の条件を満たすと最も良い。
１．２  ＜  ｙ*10 ／ a  ＜  ２．２                          （１５−２）
【００６０】
また、薄くするために極力光学ローパスフィルターは用いないようにするために、以下の条件を満たすと良い。
Fw  ≧  １．１ａ（μｍ）                                    （１６）
但し、Ｆwは広角端における解放Ｆ値、ａは前記電子撮像素子の長辺方向の画素間距離で単位はμmである。
この条件を満足すれば光学ローパスフィルターはなくても折り返し歪みは許容出来る。
【００６１】
また、以下の条件を満たすとさらに良い。
Fw  ≧  １．２ａ（μｍ）                                    （１６−１）
【００６２】
さらに、以下の条件を満たすと最も良い。
Fw  ≧  １．３ａ（μｍ）                                    （１６−２）
これは、ある程度以上画素サイズが小さくなると、回折の影響によりナイキスト周波数以上の成分がなくなることを利用したものである。条件を満足しない場合は光学ローパスフィルターが必要である。従って、画質確保上開口絞りは開放のみとし、絞り込まない方が良い。すると、絞り込み機構を省略できる分だけ小型化薄型化が可能になる。
【００６３】
本発明において、前記レンズ群Ａよりも像側の全てのレンズ群を1つのレンズ成分のみで構成することが好ましい。たとえば、前記レンズ群Ａよりも像側の群構成は「正群１つのみ」「正正の２つの群」「正負の２つの群」「正正正の３つの群」「正負正の３つの群」などが考えられるが、いずれのレンズ群も１つのレンズ成分（１つのレンズ成分とは空気と接触するレンズ面を２つのみ有する）、つまり単レンズ1枚あるいは１つの接合レンズで構成すれば、沈胴時の奥行を極めて薄くすることが可能である。
さらに、本発明において、上述した各構成要件又は各条件式について、２つ以上を同時に満足させることにより、より効果的に本発明の目的を達成できる。
【００６４】
なお、以上において、各構成要件又は各条件式について、それぞれ個別に請求項１乃至３、又は後述の付記項（１）乃至（２２）に記載した構成に限定してもよい。さらに、各条件式限定について、限定した条件式の下限値のみ、若しくは上限値のみに限定しても同様の効果を発揮する。
【００６５】
以下、本発明の実施例を図面を用いて説明する。
第１実施例
図１は本発明に係るズームレンズの第１実施例の光学構成を示す光軸に沿う断面図で、（a）は広角端、（b）は中間、（c）は望遠端での状態をそれぞれ示す。図２は図１に示すズームレンズの無限遠合焦時での広角端、中間、望遠端における球面収差、非点収差、歪曲収差、倍率色収差をそれぞれ示す図である。
【００６６】
第１実施例のズームレンズは、物体側より順に、負の屈折力を有する第１レンズ群G1と、明るさ絞りSと、正の屈折力を有する第２レンズグG2とで構成されている。FLは光学ローパスフィルターや赤外光吸収フィルター等の平行平面板、CGはカバーガラス、IはCCDやCMOSの如き撮像素子の撮像面である。  第１レンズ群G1は、物体側より順に、像側に凹面を向けた負のメニスカスレンズL11と、空気間隔を置いて物体側に凸面を向けた正のメニスカスレンズL1２とで構成されている。負のメニスカスレンズL11は、像側に非球面を有する。
第２レンズ群G2は、物体側より順に、物体側面に非球面を有する正の第１レンズL21と像側面に非球面を有する負の第２レンズL22との接合レンズで構成されている。正の第１レンズL21両凸正レンズであり、負の第２レンズL22は光軸近傍において像側に凸面を向けたメニスカスレンズである。
【００６７】
また、広角端から望遠端への変倍の際に、第１レンズ群G1は像側へ第２レンズ群G2は物体側へ移動してその間隔が減少し、且つ第１レンズ群G1は再び物体側へ移動して第２レンズ群G2との間隔が更に減少するズーム方式を採用している。即ち、第１レンズ群G1は像側に凸の軌跡を描いて移動し、第２レンズ群G2は常に物体側へ移動する。明るさ絞りSは、第２レンズ群G2の第１レンズL21の物体側の面に設けられていて、第２レンズ群G2と一体に移動するようになっている。
【００６８】
次に、第１実施例のズームレンズを構成する光学部材の数値データを示す。このデータ中、Rは光学部材の各面の光軸上の曲率半径、Dは前記各面間の間隔、Ndは各光学部材のｄ線での屈折率、Vdは各光学部材のアッベ数、FNO.はFナンバーを表している。なお、非球面係数は、光軸方向をｚ、光軸方向に直交する方向をｙにとり、円錐係数をｋ、非球面係数をA4、A6、A8、A10としたとき、次の式で表される。
ｚ＝（ｙ2／R）／［１＋｛１−（１＋ｋ）（ｙ／R）2｝1/2］＋A4ｙ4＋A6ｙ6
＋A8ｙ8＋A10ｙ10 …
なお、例えば、非球面係数A4＝8.08242e-04は、A4＝8.08242×10-4とも表示され得るが、本データ中では、非球面係数を前者の表現形式で表示してある。
これらの記号及び表現形式は、後述の各実施例の数値データにおいても共通に用いられている。
数値データ１
広角端        中間          望遠端
焦点距離 （ｍｍ）     6.226        12.175         17.996
Fナンバー             3.31          4.48           6.64
像高（ｍｍ）          4.00          4.00           4.00
面番      R                  Ｄ          Ｎｄ            Ｖｄ
1    250.068              1.00        1.80610          40.92
2      4.556（非球面）    1.33
3      7.527              2.33        2.00069          25.46
4     15.845              D4
5        ∞  （絞り）    -0.53
6      4.395（非球面）    4.00        1.49700          81.61
7     -7.297              1.49        1.68893          31.08
8    -32.808（非球面）    D8
9       ∞                0.50        1.51633          64.14
10      ∞                0.50
11      ∞                0.50        1.51633          64.14
12      ∞
13      ∞  （像面）
【００６９】
非球面係数
面番      Ｒ        ｋ
2      4.556     -1.136
Ａ４           Ａ６           Ａ８           Ａ10
8.08242e-04   1.04700e-05   -5.12099e-07   1.19042e-08
面番      Ｒ        ｋ
6      4.395     -0.225
Ａ４           Ａ６           Ａ８           Ａ10
3.84983e-07   6.98188e-05   -8.04616e-06   5.30603e-07
面番        Ｒ        ｋ
8      -32.808     0.000
Ａ４           Ａ６           Ａ８           Ａ10
1.87726e-03   1.60277e-04   -5.65876e-05   1.51576e-06
【００７０】
ズームデータ
焦点距離        6.226        12.175         17.996
FNO.            3.31          4.48           6.64
D4             12.62          4.37           1.58
D8              9.00         13.88          18.72
【００７１】
第２実施例
図３は本発明に係るズームレンズの第２実施例の光学構成を示す光軸に沿う断面図で、（a）は広角端、（b）は中間、（c）は望遠端での状態をそれぞれ示す。図４は図３に示すズームレンズの無限遠合焦時での広角端、中間、望遠端における球面収差、非点収差、歪曲収差、倍率色収差をそれぞれ示す図である。
【００７２】
第２実施例のズームレンズは、物体側より順に、負の屈折力を有する第１レンズ群G1と、明るさ絞りSと、正の屈折力を有する第２レンズグG2とで構成されている。FLは光学ローパスフィルターや赤外光吸収フィルター等の平行平面板、CGはカバーガラス、IはCCDやCMOSの如き撮像素子の撮像面である。  第１レンズ群G1は、物体側より順に、像側に凹面を向けた負のメニスカスレンズL11と、空気間隔を置いて物体側に凸面を向けた正のメニスカスレンズL1２とで構成されている。負のメニスカスレンズL11は、像側に非球面を有する。
第２レンズ群G2は、物体側より順に、物体側面に非球面を有する正の第１レンズL21と像側面に非球面を有する負の第２レンズL22との接合レンズで構成されている。正の第１レンズL21は両凸正レンズであり、負の第２レンズL22は光軸近傍において像側に凸面を向けたメニスカスレンズである。
【００７３】
また、広角端から望遠端への変倍の際に、第１レンズ群G1は像側へ第２レンズ群G2は物体側へ移動してその間隔が減少し、且つ第１レンズ群G1は再び物体側へ移動して第２レンズ群G2との間隔が更に減少するズーム方式を採用している。即ち、第１レンズ群G1は像側に凸の軌跡を描いて移動し、第２レンズ群G2は常に物体側へ移動する。明るさ絞りSは、第２レンズ群G2の第１レンズL21の物体側面に設けられていて、第２レンズ群G2と一体に移動するようになっている。
【００７４】
次に、第２実施例のズームレンズを構成する光学部材の数値データを示す。
数値データ２
広角端        中間          望遠端
焦点距離（ｍｍ）    5.620         9.998        16.279
Ｆナンバー          3.38          4.32          5.69
像高（ｍｍ）        4.00          4.00          4.00
面番      R                Ｄ          Ｎｄ            Ｖｄ
1    922.031             1.05        1.80610         40.92
2      4.095（非球面）   1.17 
3      6.921             1.70        2.00069          25.46
4     17.300             D4
5       ∞   （絞り）   -0.50
6      3.828 （非球面）  3.19        1.49700          81.61
7     -6.086             1.67        1.68893          31.07
8    -50.863（非球面）   7.83
9       ∞               0.76        1.54771          62.84
10      ∞               0.50
11      ∞               0.50        1.51633          64.14
12      ∞
13      ∞  （像面）
【００７５】
非球面係数
面番      Ｒ        ｋ
2      4.095     -1.024
Ａ４           Ａ６           Ａ８           Ａ10
8.79240e-04   1.70698e-06    2.25859e-09   1.19042e-08
面番      Ｒ        ｋ
6      3.828     -0.033
Ａ４           Ａ６           Ａ８           Ａ10
-8.00844e-05   2.50122e-06    6.74718e-06   -7.28132e-07
面番        Ｒ        ｋ
8      -50.863     0.000
Ａ４           Ａ６           Ａ８           Ａ10
3.04106e-03   3.34496e-04   -2.45110e-05   8.04457e-06
【００７６】
ズームデータ
焦点距離        5.620         9.998         16.279
FNO.            3.38          4.32           5.69
D4             12.68          5.20           1.50
【００７７】
第３実施例
図５は本発明に係るズームレンズの第３実施例の光学構成を示す光軸に沿う断面図で、（a）は広角端、（b）は中間、（c）は望遠端での状態をそれぞれ示す。図６は図５に示すズームレンズの無限遠合焦時での広角端、中間、望遠端における球面収差、非点収差、歪曲収差、倍率色収差をそれぞれ示す図である。
【００７８】
第３実施例のズームレンズは、物体側より順に、負の屈折力を有する第１レンズ群G1と、明るさ絞りSと、正の屈折力を有する第２レンズグG2とで構成されている。FLは光学ローパスフィルターや赤外光吸収フィルター等の平行平面板、CGはカバーガラス、IはCCDやCMOSの如き撮像素子の撮像面である。  第１レンズ群G1は、物体側より順に、像側に凹面を向けた負のメニスカスレンズL11と、空気間隔を置いて物体側に凸面を向けた正のメニスカスレンズL1２とで構成されている。負のメニスカスレンズL11は、像側に非球面を有する。
第２レンズ群G2は、物体側より順に、物体側面に非球面を有する正の第１レンズL21と像側面に非球面を有する負の第２レンズL22との接合レンズで構成されている。正の第１レンズL21は両凸正レンズであり、負の第２レンズL22は光軸近傍において像側に凸面を向けたメニスカスレンズである。
【００７９】
また、広角端から望遠端への変倍の際に、第１レンズ群G1は像側へ第２レンズ群G2は物体側へ移動してその間隔が減少し、且つ第１レンズ群G1は再び物体側へ移動して第２レンズ群G2との間隔が更に減少するズーム方式を採用している。即ち、第１レンズ群G1は像側に凸の軌跡を描いて移動し、第２レンズ群G2は常に物体側へ移動する。明るさ絞りSは、第２レンズ群G2の第１レンズL21の物体側面に設けられていて、第２レンズ群G2と一体に移動するようになっている。
【００８０】
次に、第３実施例のズームレンズを構成する光学部材の数値データを示す。
数値データ３
広角端        中間          望遠端
焦点距離（ｍｍ）    5.909        11.818        17.110
Ｆナンバー          3.35          4.57          5.67
像高（ｍｍ）        4.00          4.00          4.00
面番      R                  Ｄ          Ｎｄ            Ｖｄ
1     67.974              1.00        1.74320          49.34
2      4.359（非球面）    1.59
3      6.938              1.83        2.00330          28.27
4     11.039              D4
5       ∞   （絞り）    -0.50
6      4.141 （非球面）   3.59        1.49700          81.61
7     -7.008              1.53        1.68893          31.08
8    -35.323（非球面）    D8
9       ∞                0.50        1.51633          64.14
10      ∞                0.50
11      ∞                0.50        1.51633          64.14
12      ∞
13      ∞  （像面）
【００８１】
非球面係数
面番      Ｒ        ｋ
2      4.369     -0.835
Ａ４           Ａ６            Ａ８
6.72372e-04   -8.32895e-06    1.03527e-07 
面番      Ｒ        ｋ
6      4.141     -0.825
Ａ４           Ａ６           Ａ８           Ａ10
1.18328e-03   1.04436e-04    -8.41120e-06    8.39173e-07
面番        Ｒ        ｋ
8      -35.323     0.000
Ａ４           Ａ６           Ａ８           Ａ10
2.25904e-03   2.54243e-04   -2.28439e-05   4.60983e-06
【００８２】
ズームデータ
焦点距離        5.909        11.818         17.110
FNO.            3.35          4.57           5.67
D4             12.46          4.10           1.51
D8              8.40         13.10          17.38
【００８３】
第４実施例
図７は本発明に係るズームレンズの第４実施例の光学構成を示す光軸に沿う断面図で、（a）は広角端、（b）は中間、（c）は望遠端での状態をそれぞれ示す。図８は図７に示すズームレンズの無限遠合焦時での広角端、中間、望遠端における球面収差、非点収差、歪曲収差、倍率色収差をそれぞれ示す図である。
【００８４】
第４実施例のズームレンズは、物体側より順に、負の屈折力を有する第１レンズ群G1と、明るさ絞りSと、正の屈折力を有する第２レンズグG2とで構成されている。FLは光学ローパスフィルターや赤外光吸収フィルター等の平行平面板、CGはカバーガラス、IはCCDやCMOSの如き撮像素子の撮像面である。  第１レンズ群G1は、物体側より順に、像側に凹面を向けた負のメニスカスレンズL11と、空気間隔を置いて物体側に凸面を向けた正のメニスカスレンズL1２とで構成されている。負のメニスカスレンズL11は、像側に非球面を有する。
第２レンズ群G2は、物体側より順に、物体側面に非球面を有する正の第１レンズL21と像側面に非球面を有する負の第２レンズL22との接合レンズで構成されている。正の第１レンズL21は両凸正レンズであり、負の第２レンズL22は光軸近傍において像側に凸面を向けたメニスカスレンズである。
【００８５】
また、広角端から望遠端への変倍の際に、第１レンズ群G1は像側へ第２レンズ群G2は物体側へ移動してその間隔が減少し、且つ第１レンズ群G1は再び物体側へ移動して第２レンズ群G2との間隔が更に減少するズーム方式を採用している。即ち、第１レンズ群G1は像側に凸の軌跡を描いて移動し、第２レンズ群G2は常に物体側へ移動する。明るさ絞りSは、第２レンズ群G2の第１レンズL21の物体側面に設けられていて、第２レンズ群G2と一体に移動するようになっている。
【００８６】
次に、第４実施例のズームレンズを構成する光学部材の数値データを示す。
数値データ４
広角端        中間          望遠端
焦点距離（ｍｍ）    5.358        10.585        15.669
Ｆナンバー          3.33          4.53          5.70
像高（ｍｍ）        4.00          4.00          4.00
面番      R                  Ｄ          Ｎｄ            Ｖｄ
1     42.910              1.05        1.74320          49.34
2      3.901（非球面）    1.80
3      6.598              1.74        2.00330          28.27
4     10.102              D4
5       ∞   （絞り）    -0.50
6      4.005 （非球面）   4.00        1.49700          81.61
7     -6.224              1.20        1.68893          31.07
8    -26.605（非球面）    7.78
9       ∞                0.76        1.57441          62.84
10      ∞                0.50
12      ∞                0.50        1.51633          64.14
13      ∞  （像面）
【００８７】
非球面係数
面番      Ｒ        ｋ
2      3.901     -0.868
Ａ４           Ａ６            Ａ８
9.04885e-04   1.06270e-05    2.60847e-07
面番      Ｒ        ｋ
6      4.005     -0.136
Ａ４           Ａ６           Ａ８           Ａ10
-6.47187e-05  -4.94017e-07     5.38159e-06   -5.22063e-07
面番        Ｒ        ｋ
8      -26.605     0.000
Ａ４           Ａ６           Ａ８           Ａ10
2.69143e-03   1.32771e-04   -2.74676e-05   -8.19770e-07
【００８８】
ズームデータ
焦点距離        5.358        10.585         15.669
FNO.            3.33          4.53           5.70
D4             11.78          4.07           1.50
【００８９】
第５実施例
図９は本発明に係るズームレンズの第３実施例の光学構成を示す光軸に沿う断面図で、（a）は広角端、（b）は中間、（c）は望遠端での状態をそれぞれ示す。図１０は図９に示すズームレンズの無限遠合焦時での広角端、中間、望遠端における球面収差、非点収差、歪曲収差、倍率色収差をそれぞれ示す図である。
【００９０】
第５実施例のズームレンズは、物体側より順に、負の屈折力を有する第１レンズ群G1と、明るさ絞りSと、正の屈折力を有する第２レンズグG2とで構成されている。FLは光学ローパスフィルターや赤外光吸収フィルター等の平行平面板、CGはカバーガラス、IはCCDやCMOSの如き撮像素子の撮像面である。  第１レンズ群G1は、物体側より順に、像側に凹面を向けた負のメニスカスレンズL11と、空気間隔を置いて物体側に凸面を向けた正のメニスカスレンズL1２とで構成されている。負のメニスカスレンズL11は、像側に非球面を有する。
第２レンズ群G2は、物体側より順に、物体側面に非球面を有する正の第１レンズL21と像側面に非球面を有する負の第２レンズL22との接合レンズで構成されている。正の第１レンズL21は両凸正レンズであり、負の第２レンズL22は光軸近傍において像側に凸面を向けたメニスカスレンズである。
【００９１】
また、広角端から望遠端への変倍の際に、第１レンズ群G1は像側へ第２レンズ群G2は物体側へ移動してその間隔が減少し、且つ第１レンズ群G1は再び物体側へ移動して第２レンズ群G2との間隔が更に減少するズーム方式を採用している。即ち、第１レンズ群G1は像側に凸の軌跡を描いて移動し、第２レンズ群G2は常に物体側へ移動する。明るさ絞りSは、第２レンズ群G2の第１レンズL21の物体側面に設けられていて、第２レンズ群G2と一体に移動するようになっている。
【００９２】
次に、第５実施例のズームレンズを構成する光学部材の数値データを示す。
数値データ５
広角端        中間          望遠端
焦点距離（ｍｍ）    5.885        11.521         17.041
Ｆナンバー          3.30          4.48           5.65
像高（ｍｍ）        3.79          3.79           3.79
面番      R                Ｄ          Ｎｄ            Ｖｄ
1    280.308             1.16        1.80610          40.92
2      4.306（非球面）   1.27 
3      7.232             2.09        2.00069          25.46
4     15.661             D4
5       ∞   （絞り）   -0.50
6      4.129 （非球面）  3.80        1.49700          81.61
7     -6.751             1.44        1.68893          31.08
8    -33.079（非球面）   D8
9       ∞               0.50        1.51633          64.14
10      ∞               0.50
11      ∞               0.50        1.51633          64.14
12      ∞
13      ∞  （像面）
【００９３】
非球面係数
面番      Ｒ        ｋ
2      4.306     -1.148
Ａ４           Ａ６            Ａ８           Ａ10
9.34434e-04    1.43105e-05   -9.06925e-07   2.34642e-08
面番      Ｒ        ｋ
6      4.129     -0.227
Ａ４           Ａ６           Ａ８           Ａ10
-1.66242e-05   9.99900e-05    -1.35791e-05    1.00549e-06
面番        Ｒ        ｋ
8      -33.079     0.000
Ａ４           Ａ６           Ａ８           Ａ10
2.25782e-03   2.26033e-04   -1.07638e-05   2.82873e-06
【００９４】
ズームデータ
焦点距離        5.885        11.521         17.041
FNO.            3.30          4.48           5.65
D4             12.05          4.17           1.50
D8              8.39         13.02          17.60
【００９５】
第６実施例
図１１は本発明に係るズームレンズの第６実施例の光学構成を示す光軸に沿う断面図で、（a）は広角端、（b）は中間、（c）は望遠端での状態をそれぞれ示す。図１２は図１１に示すズームレンズの無限遠合焦時での広角端、中間、望遠端における球面収差、非点収差、歪曲収差、倍率色収差をそれぞれ示す図である。
【００９６】
第６実施例のズームレンズは、物体側より順に、負の屈折力を有する第１レンズ群G1と、明るさ絞りSと、正の屈折力を有する第２レンズグG2とで構成されている。FLは光学ローパスフィルターや赤外光吸収フィルター等の平行平面板、CGはカバーガラス、IはCCDやCMOSの如き撮像素子の撮像面である。  第１レンズ群G1は、物体側より順に、像側に凹面を向けた負のメニスカスレンズL11と、空気間隔を置いて物体側に凸面を向けた正のメニスカスレンズL1２とで構成されている。負のメニスカスレンズL11は、像側に非球面を有する。
第２レンズ群G2は、物体側より順に、物体側面に非球面を有する正の第１レンズL21と像側面に非球面を有する負の第２レンズL22との接合レンズで構成されている。正の第１レンズL21は両凸正レンズであり、負の第２レンズL22は光軸近傍において像側に凸面を向けたメニスカスレンズである。
【００９７】
また、広角端から望遠端への変倍の際に、第１レンズ群G1は像側へ第２レンズ群G2は物体側へ移動してその間隔が減少し、且つ第１レンズ群G1は再び物体側へ移動して第２レンズ群G2との間隔が更に減少するズーム方式を採用している。即ち、第１レンズ群G1は像側に凸の軌跡を描いて移動し、第２レンズ群G2は常に物体側へ移動する。明るさ絞りSは、第２レンズ群G2の第１レンズL21の物体側面に設けられていて、第２レンズ群G2と一体に移動するようになっている。
【００９８】
次に、第６実施例のズームレンズを構成する光学部材の数値データを示す。
数値データ６
広角端        中間          望遠端
焦点距離（ｍｍ）    5.910        11.870         17.268
Ｆナンバー          3.26          4.53           5.68
像高（ｍｍ）        4.00          4.00           4.00
面番      R                 Ｄ          Ｎｄ            Ｖｄ
1    289.049             1.24        1.74320          49.34
2      4.272（非球面）   1.35 
3      6.530             1.67        2.00330          28.27
4     10.551             D4
5       ∞   （絞り）   -0.50
6      4.042 （非球面）  3.55        1.49700          81.61
7     -6.969             1.11        1.58393          30.21
8    -75.231（非球面）   8.36
9       ∞               0.76        1.54771          62.84
10      ∞               0.50
11      ∞               0.50        1.51633          64.14
12      ∞
13      ∞  （像面）
【００９９】
非球面係数
面番      Ｒ        ｋ
2      4.272     -0.801
Ａ４           Ａ６           Ａ８           Ａ10
7.68306e-04   -8.82529e-06   2.19613e-06   -6.85302e-08
面番      Ｒ        ｋ
6      4.042     0.047
Ａ４           Ａ６           Ａ８           Ａ10           Ａ12
-5.30379e-04   2.18540e-04    -7.99714e-05    1.27635e-05   -7.63108e-07
面番        Ｒ        ｋ
8      -76.231     0.000
Ａ４           Ａ６           Ａ８           Ａ10           Ａ12
3.00085e-03   4.82212e-04   -1.36755e-04   3.92413e-05   -3.28147e-06
【０１００】
ズームデータ
焦点距離        5.910        11.870         17.268
FNO.            3.26          4.53           5.68
D4             11.08          3.78           1.51
【０１０１】
次に、各実施例における条件式の値を下表に示す。
2007078801.tif 000003
《注1》歪曲収差補正前における計算値である。
《注2》各実施例ともに広角端近傍では歪曲収差を画像処理にて補正することを前提としているため、補正後の半画角を掲載している。なお、補正の際にはｙ*10×0.6対応の半画角が補正前後でほぼ不変となるようにしている。
【０１０２】
さて、以上のような本発明のズームレンズで物体像を形成しその像をＣＣＤ等の撮像素子に受光させて撮影を行う撮影装置、とりわけデジタルカメラやビデオカメラ等に用いることができる。以下に、その実施形態を例示する。
【０１０３】
図１３〜図１５は、本発明によるズーム光学系をデジタルカメラの撮影光学系４１に組み込んだ構成の概念図を示す。図１３はデジタルカメラ４０の外観を示す前方斜視図、図１４は同後方正面図、図１５はデジタルカメラ４０の構成を示す模式的な透視平面図である。ただし、図１３と図１５においては、撮影光学系４１の非沈胴時を示している。デジタルカメラ４０は、この例の場合、撮影用光路４２を有する撮影光学系４１、ファインダー用光路４４を有するファインダー光学系４３、シャッター釦４５、フラッシュ４６、液晶表示モニター４７、焦点距離変更ボタン６１、設定変更スイッチ６２等を含み、撮影光学系４１の沈胴時には、カバー６０をスライドすることにより、撮影光学系４１とファインダー光学系４３とフラッシュ４６はそのカバー６０で覆われる。そして、カバー６０を開いてカメラ４０を撮影状態に設定すると、撮影光学系４１は図１５の非沈胴状態になり、カメラ４０の上部に配置されたシャッター釦４５を押圧すると、それに連動して撮影光学系４１、例えば実施例１のズームレンズを通して撮影が行われる。撮影光学系４１によって形成された物体像が、ＩＲカットコートを施したローパスフィルターＬＦとカバーガラスＣＧを介してＣＣＤ４９の撮像面上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる。なお、この記録手段５２は処理手段５１と別体に設けてもよいし、フロッピー（登録商標）ディスクやメモリーカード、ＭＯ等により電子的に記録書込を行うように構成してもよい。また、ＣＣＤ４９に代わって銀塩フィルムを配置した銀塩カメラとして構成してもよい。
【０１０４】
さらに、ファインダー用光路４４上にはファインダー用対物光学系５３が配置してある。ファインダー用対物光学系５３は、複数のレンズ群（図の場合は３群）と２つのプリズムからなり、撮影光学系４１のズームレンズに連動して焦点距離が変化するズーム光学系からなり、このファインダー用対物光学系５３によって形成された物体像は、像正立部材である正立プリズム５５の視野枠５７上に形成される。この正立プリズム５５の後方には、正立正像にされた像を観察者眼球Ｅに導く接眼光学系５９が配置されている。なお、接眼光学系５９の射出側にカバー部材５０が配置されている。
このように構成されたデジタルカメラ４０は、撮影光学系４１が高性能で小型で沈胴収納が可能であるので、高性能・小型化が実現できる。
【０１０５】
図１６は、上記デジタルカメラ４０の主要部の内部回路の構成ブロック図である。尚、以下の説明では、上記の処理手段５１は例えばＣＤＳ／ＡＤＣ部２４、一時記憶メモリ１７、画像処理部１８等からなり、記録手段５２は例えば記憶媒体部１９等からなる。
図１６に示すようにデジタルカメラ４０は、操作部１２と、この操作部１２接続する制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１０６】
上記の一時記憶メモリ１７、画像処理部１８、記憶媒体部１９、表示部２０、及び設定情報記憶メモリ部２１はバス２２を介して相互にデータの入力又は出力が可能なように構成され、また、撮像駆動回路１６には、ＣＣＤ４９とＣＤＳ／ＡＤＣ部２４が接続されている。
【０１０７】
操作部１２は各種の入力釦やスイッチを備え、これらの入力釦やスイッチを介して外部（カメラ使用者）から入力されるイベント情報を制御部に通知する回路である。制御部１３は、例えばＣＰＵ等からなる中央演算処理装置であり、不図示のプログラムメモリを内蔵し、そのプログラムメモリに格納されているプログラムにしたがって、操作部１２を介してカメラ使用者から入力される指示命令を受けてデジタルカメラ４０全体を制御する回路である。
【０１０８】
ＣＣＤ４９は、本発明ズーム光学系を組み込んだ撮影光学系４１を介して形成された物体像を受光する。ＣＣＤ４９は、撮像駆動回路１６により駆動制御され、その物体像の各画素ごとの光量を電気信号に変換してＣＤＳ／ＡＤＣ部２４に出力する撮像素子である。
【０１０９】
ＣＤＳ／ＡＤＣ部２４は、ＣＣＤ４９から入力する電気信号を増幅し且つアナログ／デジタル変換を行って、この増幅とデジタル変換を行っただけの映像生データ（ベイヤーデータ、以下ＲＡＷデータという）を一時記憶メモリ１７に出力する回路である。
【０１１０】
一時記憶メモリ１７は、例えばＳＤＲＡＭ等からなるバッファであり、ＣＤＳ／ＡＤＣ部２４から出力される上記ＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３から指定された画質パラメータに基づいて歪曲収差補正を含む各種画像処理を電気的に行う回路である。
【０１１１】
記録媒体部１９は、例えばフラッシュメモリ等からなるカード型又はスティック型の記録媒体を着脱自在に装着して、それらカード型又はスティック型のフラッシュメモリに、一時記憶メモリ１７から転送されるＲＡＷデータや画像処理部１８で画像処理された画像データを記録して保持する装置の制御回路である。
【０１１２】
表示部２０は、液晶表示モニター４７を備え、その液晶表示モニター４７に画像や操作メニューなどを表示する回路である。設定情報記憶メモリ部２１には、予め各種の画質パラメータが格納されているＲＯＭ部と、そのＲＯＭ部から読み出された画質パラメータの中から操作部１２の入力操作によって選択された画質パラメータを記憶するＲＡＭ部が備えられている。設定情報記憶メモリ部２１は、それらのメモリへの入出力を制御する回路である。
【０１１３】
以上説明したように、本発明のズームレンズ及びそれを有する電子撮像装置は、下記の特徴を有する。
（１）  物体側から順に、負の屈折力を有し負レンズ成分と正レンズ成分の２枚のレンズ成分からなるレンズ群Ａと、正の屈折力を有し複数のレンズ要素が接合された１つのレンズ成分よりなるレンズ群Ｂを含み、各レンズ群の相対的間隔は変倍あるいは合焦時に変化するズームレンズにおいて、前記レンズ群Ａの負レンズ成分は、像側の面が光軸から離れるほど発散作用が強くなる非球面にて構成されていることを特徴とするズームレンズ。但し、レンズ成分とは、そのレンズ成分の最物体側のレンズ面と最像側のレンズ面のみが空気と接触し、且つその間には空気間隔がないものであり、単レンズ又は接合レンズを１単位とする。
【０１１４】
（２）  物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、前記レンズ群Ａを構成するすべての光学的屈折面のうち非球面である面数が50%以下であることを特徴とするズームレンズ。但し、レンズ成分とは、そのレンズ成分の最物体側のレンズ面と最像側のレンズ面のみが空気と接触し、且つその間には空気間隔がないものであり、単レンズ又は接合レンズを１単位とする。
【０１１５】
（３）  物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、前記レンズ群Ａの正レンズ成分は屈折率１．８７以上の媒質からなる正レンズを含むズームレンズ。但し、レンズ成分とは、そのレンズ成分の最物体側のレンズ面と最像側のレンズ面のみが空気と接触し、且つその間には空気間隔がないものであり、単レンズ又は接合レンズを１単位とする。
【０１１６】
（４）  物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、以下の条件を満足するズームレンズ。
０．８  ＜  ΣT／ｆw  ＜  ２．５
但し、ΣTは全てのレンズ群の、最も物体側の面から最も像側の面までの、光軸上の距離を総和したもの、ｆwは広角端における全系の焦点距離であり、レンズ成分とは、そのレンズ成分の最物体側のレンズ面と最像側のレンズ面のみが空気と接触し、且つその間には空気間隔がないものであり、単レンズ又は接合レンズを１単位とする。
【０１１７】
（５）  物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、以下の条件を満足するズームレンズ。
０．４  ＜  ｆR／｜ｆA｜  ＜  １．２
但し、ｆAはそれぞれ前記レンズ群Ａの焦点距離、ｆRはレンズ群Ａよりも像側に配置された全てのレンズ群の広角端における合成焦点距離である。
【０１１８】
（６）  物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、以下の条件を満足するズームレンズ。
１．２０  ＜  ｜βRT｜  ＜  ２．３０
但し、βRTは望遠端無限遠物点合焦時の、前記レンズ群Ａよりも像側に配置された全てのレンズ群による合成倍率である。
【０１１９】
（７）  物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、以下の条件を満足するズームレンズ。
０．１７  ＜  （D12W−D12T）／（ｆw・γ2）  ＜ ０．４５
但し、D12W、D12Tはそれぞれ広角端、望遠端におけるレンズ群Ａとその像側に隣接するレンズ群との光軸上での空気間隔。γは無限遠物点合焦時の望遠端における全系焦点距離の対広角端比、ｆwは広角端における全系の焦点距離である。
【０１２０】
（８）  物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、以下の条件を満足するズームレンズ。
０．０６  ＜  ｄ11／ｆw  ＜  ０．５３
但し、ｆwは広角端における全系の焦点距離であり、ｄ11はレンズ群Ａの負レンズ成分と正レンズ成分との光軸上における空気間隔である。
【０１２１】
（９）  物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、前記レンズ群Ａは、正レンズと、その物体側に負レンズを有し、前記正レンズと負レンズのそれぞれを構成する媒質の屈折率、アッベ数をｎ1p、ν1p、ｎ1n、ν1nとしたとき、以下の条件を満足する上記（１）乃至（８）の何れかに記載のズームレンズ。
０．０８  ＜  ｎ1p−ｎ1n  ＜  ０．３５
５  ＜  ν1n−ν1p  ＜  ２５
【０１２２】
（１０）  物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、以下の条件を満足するズームレンズ。
０．６６  ＜  （R23＋R21）／（R23−R21）  ＜  １．５
但し、R21、R23はそれぞれレンズ群Ｂの最も物体側の面と最も像側の面の光軸上における曲率半径である。
【０１２３】
（１１）  物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、以下の条件を満足するズームレンズ。
ν2p  ＞  ６５
但し、ν2pはレンズ群Ｂに含まれる正レンズを構成する媒質のアッベ数（ｄ線基準）である。
【０１２４】
（１２）  物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、前記レンズ群Ｂは、正レンズと負レンズの接合レンズからなり、以下の条件を満足するズームレンズ。
−１．５  ＜  ｆw／R22  ＜  −０．５０
但し、R22はレンズ群Ｂの接合面の光軸上における曲率半径である。
【０１２５】
（１３）  前記レンズ群Ｂは、正レンズと負レンズの接合レンズからなる上記（１）乃至（１２）の何れかに記載のズームレンズ。
【０１２６】
（１４）  前記レンズ群Ａとレンズ群Ｂのみからなる上記（１）乃至（１３）の何れかに記載のズームレンズ。
【０１２７】
（１５）  以下の条件を満足する上記（１４）に記載のズームレンズ。
２．５５  ＜  （Dｗ＋Dｔ）／（２・ΣDｔ）  ＜ ４．０
但し、Dｗ、Dｔはそれぞれ広角端、望遠端におけるレンズ群Ａの最も物体側のレンズ面頂から像面までの距離、ΣDｔは望遠端におけるレンズ群Ａの最も物体側のレンズ面頂からレンズ群Ｂの最も像側のレンズ面頂までの距離である。
【０１２８】
（１６）  以下の条件を満足する上記（１３）乃至（１５）の何れかに記載のズームレンズ。
０．８  ＜  ΣDｔ／ｆw  ＜  ３．３
但し、ΣDｔは望遠端におけるレンズ群Ａの最も物体側のレンズ面頂からレンズ群Ｂの最も像側のレンズ面頂までの距離である。
【０１２９】
（１７）  上記（１）乃至（１６）の何れかに記載のズームレンズと、該ズームレンズの像側に配置された電子撮像素子とを備えた電子撮像装置。
【０１３０】
（１８）  物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズと、該ズームレンズの像側に配置された電子撮像素子と、前記ズームレンズを通して結像された像を前記電子撮像素子により撮像されて得られた画像データを加工して形状を変化させた画像データとして出力可能な画像処理部を備えた電子撮像装置。但し、レンズ成分とは、そのレンズ成分の最物体側のレンズ面と最像側のレンズ面のみが空気と接触し、且つその間には空気間隔がないものであり、単レンズ又は接合レンズを１単位とする。
【０１３１】
（１９）  前記ズームレンズがｆｗの５０倍以上の何れかの物体距離に合焦した時に以下の条件を満足する上記（１８）に記載の電子撮像装置。
０．７５  ＜  ｙ*08 ／ （ｆｗ・tan ω08w）  ＜  ０．９６
但し、ｙ*10は歪曲収差補正後の画像の中心から最も遠い点に対応する、前記電子撮像素子における中心から最も遠い点までの距離をｙ*10とするとｙ*08＝０.８ｙ*10、ω08wは広角端における前記撮像面上の中心からｙ*08離れた位置に結ぶ像点に対応する光線と物点方向の光軸とのなす角度、ｆｗは広角端における全系の焦点距離である。
【０１３２】
（２０）  前記ズームレンズがｆｗの５０倍以上の何れかの物体距離に合焦した時に以下の条件を満足する上記（１８）又は（１９）に記載の電子撮像装置。
０．５０  ＜  （ｄｙ* ／ｄｙ）ｙ*08 ／（ｄｙ* ／ｄｙ）ｙ*00  ＜  ０．９０
但し、（ｄｙ* ／ｄｙ）ｙ*08はｙ*08における微分量ｄｙ* ／ｄｙを、（ｄｙ* ／ｄｙ）ｙ*00は近軸における微分量ｄｙ* ／ｄｙをそれぞれ表す。
【０１３３】
（２１）  以下の条件を満足する上記（１８）乃至（２０）の何れかに記載の電子撮像装置。
１.０  ＜  ｙ*10 ／ a  ＜  ３.０
但し、ｙ*10 は歪曲収差補正後の画像の中心から最も遠い点に対する、前記電子撮像素子における中心から最も遠い点かでの距離で単位はｍｍ、aは前記電子撮像素子長辺方向の画素間距離で単位はμｍである。
【０１３４】
（２２）  以下の条件を満足する上記（１６）乃至（２１）の何れかに記載のズームレンズ。
Fw  ≧  １．１ａ（μｍ）
但し、Ｆwは広角端における解放F値、ａは前記電子撮像素子長辺方向の画素間距離で単位はμmである。
【図面の簡単な説明】
【０１３５】
【図１】本発明によるズームレンズの第１実施例のレンズ構成を示す光軸に沿う断面図で、（a）は広角端、（b）は中間、（c）は望遠端の状態をそれぞれ示している。
【図２】第１実施例における球面収差、像面湾曲、歪曲収差、倍率色収差を示し、（a）は広角端、（b）は中間、（c）は望遠端の状態をそれぞれ示している。
【図３】本発明によるズームレンズの第２実施例のレンズ構成を示す光軸に沿う断面図で、（a）は広角端、（b）は中間、（c）は望遠端の状態をそれぞれ示している。
【図４】第２実施例における球面収差、像面湾曲、歪曲収差、倍率色収差を示し、（a）は広角端、（b）は中間、（c）は望遠端の状態をそれぞれ示している。
【図５】本発明によるズームレンズの第３実施例のレンズ構成を示す光軸に沿う断面図で、（a）は広角端、（b）は中間、（c）は望遠端の状態をそれぞれ示している。
【図６】第３実施例における球面収差、像面湾曲、歪曲収差、倍率色収差を示し、（a）は広角端、（b）は中間、（c）は望遠端の状態をそれぞれ示している。
【図７】本発明によるズームレンズの第４実施例のレンズ構成を示す光軸に沿う断面図で、（a）は広角端、（b）は中間、（c）は望遠端の状態をそれぞれ示している。
【図８】第４実施例における球面収差、像面湾曲、歪曲収差、倍率色収差を示し、（a）は広角端、（b）は中間、（c）は望遠端の状態をそれぞれ示している。
【図９】本発明によるズームレンズの第５実施例のレンズ構成を示す光軸に沿う断面図で、（a）は広角端、（b）は中間、（c）は望遠端の状態をそれぞれ示している。
【図１０】第５実施例における球面収差、像面湾曲、歪曲収差、倍率色収差を示し、（a）は広角端、（b）は中間、（c）は望遠端の状態をそれぞれ示している。
【図１１】本発明によるズームレンズの第６実施例のレンズ構成を示す光軸に沿う断面図で、（a）は広角端、（b）は中間、（c）は望遠端の状態をそれぞれ示している。
【図１２】第６実施例における球面収差、像面湾曲、歪曲収差、倍率色収差を示し、（a）は広角端、（b）は中間、（c）は望遠端の状態をそれぞれ示している。
【図１３】本発明によるズーム光学系を組み込んだ沈胴式デジタルカメラの外観の一例を示す前方斜視図である。
【図１４】図１３に示したデジタルカメラの後方正面図である。
【図１５】図１３に示したデジタルカメラの構成を示す模式的な透視平面図である。
【図１６】図１３に示したデジタルカメラの主要部の内部回路の構成ブロック図である。
【符号の説明】
【０１３６】
G1                            第１レンズ群
G2                            第２レンズ群
S                             絞り
LPF                           光学ローパスフィルター
CG                            カバーガラス
I                            電子撮像素子の撮像面
L1１, L1２                    第１レンズ群の第１レンズ,第２レンズ
L２２, L２２                  第２レンズ群の第１レンズ,第２レンズ
１２                          操作部
１３                          制御部
１４,１５,２２                バス
１６                          撮像駆動回路
１７                          一時記憶メモリ
１８                          画像処理部
１９                          記憶媒体部
２０                          表示部
２１                          設定情報記憶メモリ部
２４                          CDS/ADC部
４０                          デジタルカメラ
４１                          撮影光学系
４２                          撮影用光路
４３                          モニター
４４                          ファインダー用光路
４５                          シャッターボタン釦
４６                          フラッシュ
４７                          液晶表示モニター
４９                          CCD
５１                          処理手段
５０                          カバー部材
５２                          記録手段
５３                          ファインダー用対物光学系
５５                          正立プリズム
５７                          視野枠
５９                          接眼光学系
６０                          カバー
６１                          焦点距離変更ボタン
【図１】
2007078801.tif 000004
【図２】
2007078801.tif 000005
【図３】
2007078801.tif 000006
【図４】
2007078801.tif 000007
【図５】
2007078801.tif 000008
【図６】
2007078801.tif 000009
【図７】
2007078801.tif 000010
【図８】
2007078801.tif 000011
【図９】
2007078801.tif 000012
【図１０】
2007078801.tif 000013
【図１１】
2007078801.tif 000014
【図１２】
2007078801.tif 000015
【図１３】
2007078801.tif 000016
【図１４】
2007078801.tif 000017
【図１５】
2007078801.tif 000018
【図１６】
2007078801.tif 000019